(57)【要約】【目的】ストロボ撮影において比較的適正な明るさをもつ画像を得る。【構成】ストロボ発光して被写体を撮影し，被写体像を表す画像データが得られる（ステップ３１）。主被写体よりも主被写体以外の付随的被写体が近くにあり，付随的被写体像を表す画像データがしきい値以上となると（ステップ３３でＹＥＳ），ニー処理が行われ，付随的画像データのレベルがしきい値以下とされる（ステップ３４）。付随的画像が明るくなりすぎるのを未然に防止できる。【選択図】  図７
2004320179.tif 000002
【特許請求の範囲】
【請求項１】
被写体にストロボ光を照射するストロボ発光装置を制御するストロボ発光制御手段，
上記ストロボ発光制御手段の制御にもとづいてストロボ光が照射された被写体を撮像し，被写体像を表す画像データを出力する撮像手段，
上記撮像手段から出力された画像データのうち，主被写体像を除く付随的画像を表す付随画像データのレベルが所定のしきい値レベル以上かどうかを判定する判定手段，および
上記判定手段により上記付随画像データのレベルが所定のしきい値レベル以上と判定されたことにより，レベルが低くなるように上記付随画像データを補正する補正手段，
を備えた画像データ補正装置。
【請求項２】
上記撮像手段から出力された画像データのレベルを上げるレベル調整手段をさらに備え，
上記判定手段は，上記レベル調整手段によってレベルが上げられた画像データのうち，上記付随画像データのレベルが所定のしきい値以上かどうかを判定するものである，
請求項１に記載の画像データ補正装置。
【請求項３】
上記判定手段は，上記撮像手段における撮像領域のうち所定の主被写体領域内にもとづいて得られる画像を主被写体像と見なして，上記撮像手段から出力された画像データのうち，主被写体像を除く付随的画像を表す付随画像データのレベルが所定のしきい値レベル以上かどうかを判定するものである，
請求項１に記載の画像データ補正装置。
【請求項４】
被写体にストロボ光を照射するストロボ発光装置を制御するストロボ発光制御手段および上記ストロボ発光制御手段の制御にもとづいてストロボ光が照射された被写体を撮像し，被写体像を表す画像データを出力する撮像手段を備え，
上記撮像手段から出力された画像データのうち，主被写体像を除く付随的画像を表す付随画像データのレベルが所定のしきい値レベル以上かどうかを判定し，
上記付随画像データのレベルが所定のしきい値レベル以上と判定されたことにより，レベルが低くなるように上記付随画像データを補正する，
撮像装置の画像データ補正方法。
【発明の詳細な説明】
【０００１】
【技術分野】
この発明は，画像データ補正装置および撮像装置の画像データ補正方法に関する。
【０００２】
【発明の背景】
主被写体が暗い場合には，主被写体にストロボ光が照射されるようにストロボ撮影が行われる。ストロボ光は，主被写体だけに照射されずに主被写体の回りの被写体にも照射されるのが通常である。このために，主被写体の回りの被写体が主被写体よりも手前にある場合には，主被写体の回りの被写体の輝度が高くなってしまう。このために，撮像によって得られた，主被写体の回りの被写体の像を表す画像データが飽和してしまうことがある。主被写体の回りの被写体の像がいわゆる白飛びを起こすことがある。白飛びが起きると良好な画像が得られない。
【０００３】
撮像時において白飛びがおきてしまうような場合に，ニー処理をすることにより白飛びを未然に防止することは考えられている（例えば，特許文献１）
【０００４】
【特許文献１】
特開平８−２２３４８８号公報
【０００５】
しかしながら，ストロボ撮影を行う場合における問題は考えられていない。
【０００６】
【発明の開示】
この発明は，ストロボ撮影が行われても比較的良好な画像を得るようにすることを目的とする。
【０００７】
この発明による画像データ補正装置は，被写体にストロボ光を照射するストロボ発光装置を制御するストロボ発光制御手段，上記ストロボ発光制御手段の制御にもとづいてストロボ光が照射された被写体を撮像し，被写体像を表す画像データを出力する撮像手段，上記撮像手段から出力された画像データのうち，主被写体像を除く付随的画像を表す付随画像データのレベルが所定のしきい値レベル以上かどうかを判定する判定手段，および上記判定手段により上記付随画像データのレベルが所定のしきい値レベル以上と判定されたことにより，レベルが低くなるように上記付随画像データを補正する補正手段を備えていることを特徴とする。
【０００８】
この発明は，撮像装置における画像データ補正方法も提供している。すなわち，この方法は，被写体にストロボ光を照射するストロボ発光装置を制御するストロボ発光制御手段および上記ストロボ発光制御手段の制御にもとづいてストロボ光が照射された被写体を撮像し，被写体像を表す画像データを出力する撮像手段を備え，上記撮像手段から出力された画像データのうち，主被写体像を除く付随的画像を表す付随画像データのレベルが所定のしきい値レベル以上かどうかを判定し，上記付随画像データのレベルが所定のしきい値レベル以上と判定されたことにより，レベルが低くなるように上記付随画像データを補正するものである。
【０００９】
この発明によると，ストロボ光が照射された被写体が撮像され，被写体像を表す画像データが得られる。被写体像を表す画像データのうち，主被写体像を除く付随的画像を表す付随画像データのレベルが所定のしきい値以上かどうかが判定される。所定のしきい値以上と判定されると，その付随的画像が飽和するおそれがあると考えられる。このために，付随的画像データのレベルが低下させられる。
【００１０】
付随的画像データのレベルが所定のしきい値以上の場合には，そのレベルが低下させられるので，付随的な画像が白飛びを起こしてしまうことを未然に防止できる。例えば，主被写体に比べて付随的な被写体が手前にある場合，付随的な被写体にストロボ光が照射されることにより，付随的な被写体が明るくなりすぎることがある。そのような場合であっても，付随的画像データはレベルが調整（低く調整）されるので，付随的画像の白飛びなどを未然に防止でき，比較的良好な画像が得られる。
【００１１】
上記撮像手段から出力された画像データのレベルを上げるレベル調整手段をさらに備えるようにしてもよい。この場合，上記判定手段は，上記レベル調整手段によってレベルが上げられた画像データのうち，上記付随画像データのレベルが所定のしきい値以上かどうかを判定するものとなろう。
【００１２】
ストロボ光を照射した場合であっても，主被写体に適切な量のストロボ光が照射されずに，得られる主被写体像が暗くなってしまうことがある。そのような場合には，撮像によって得られた画像データのレベルを上げることがある。しかしながら，撮像によって得られた画像データのレベルを向上させたことにより，主被写体像は適正な明るさとなるが，付随的画像は明るくなりすぎることがある。上述したように，付随画像データは所定のしきい値以上の場合には，レベルが低下させられるので，付随的画像が明るくなりすぎることを未然に防止することができる。
【００１３】
上記判定手段は，例えば，上記撮像手段における撮像領域のうち所定の主被写体領域内にもとづいて得られる画像を主被写体像と見なして，上記撮像手段から出力された画像データのうち，主被写体像を除く付随的画像を表す付随画像データのレベルが所定のしきい値レベル以上かどうかを判定する。
【００１４】
主被写体像の位置を所定の領域内にあるものと見なしているので，主被写体像の位置などを判定する必要が無い。比較的簡単に回路を構成することができるようになる。
【００１５】
【実施例の説明】
図１は，この発明の実施例を示すもので，ディジタル・スチル・カメラの電気的構成を示すブロック図である。
【００１６】
ディジタル・スチル・カメラの全体の動作は，ＣＰＵ７によって統括される。
【００１７】
ディジタル・スチル・カメラは，ストロボ撮影が可能であり，このストロボ撮影のためにストロボ発光装置８が設けられている。ストロボ発光装置８は，ＣＰＵ７によって制御される。
【００１８】
また，ディジタル・スチル・カメラには，各種パルス等を生成するタイミング・ジェネレータ６が含まれている。タイミング・ジェネレータ６において生成された各種パルスは，ドライバ５，ＣＤＳ（相関二重サンプリング）／ＡＧＣ（自動利得調整回路）およびアナログ／ディジタル変換回路３に入力する。各種パルスがドライバ５に与えられることにより，ドライバ５から駆動パルス等が生成され，ＣＣＤ１に与えられる。
【００１９】
モード設定スイッチ（図示略）により通常撮影モードが設定されると，ドライバ５によってＣＣＤ１が制御され被写体が撮影される。被写体像を表すアナログ映像信号がＣＣＤ１から出力され，ＣＤＳ／ＡＧＣ２に入力する。ＣＤＳ／ＡＧＣにおいて，相関二重サンプリング処理および自動利得調整処理が行われ，アナログ／ディジタル変換回路３に入力する。アナログ／ディジタル変換回路３において，アナログ映像信号がディジタル画像データに変換され，信号処理回路４に入力する。
【００２０】
信号処理回路４には，ゲイン・コントロールド・アンプリファイア，ニー処理回路などが含まれており，入力したディジタル画像データのレベル調整，ニー処理などが行われる。通常の撮影モードが設定されている場合には，画像データのレベル調整，ニー処理などは行われず，ガンマ補正，白バランス調整など所定の信号処理が行われて出力される。
【００２１】
信号処理回路４から出力された画像データは，表示インターフェイス９を介して表示装置１０に与えられる。表示装置１０の表示画面上に被写体像が表示される。
【００２２】
通常の撮像モードが設定されている場合に，シャッタ・レリーズ・ボタンが押されると，上述のように信号処理回路４から出力された画像データは，メモリ１１に与えられ，一時的に記憶される。画像データは，メモリ１１から読み出され，圧縮回路１２において圧縮される。圧縮された画像データがメモリ・カード１３に与えられ，記録される。
【００２３】
モード設定スイッチによりストロボ撮影モードが設定された場合に，シャッタ・レリーズ・ボタンが押されると，ストロボ発光装置８からストロボ光が発光する。ストロボ撮影が行われる場合に，主被写体までの距離が遠いときには，ストロボ発光装置８からの出射光が主被写体まで届かないことがある。この実施例においては，モード設定スイッチによりストロボ発光撮影が設定された場合には，ゲイン・アップ指令スイッチ（図示略）によりゲイン・アップ指令がディジタル・スチル・カメラに与えられる。すると，信号処理回路４においてディジタル画像データのレベルが高くなるように画像データがレベル調整される。主被写体までストロボ光が届かない場合であっても比較的適正な明るさを持つ被写体像を表す画像データがメモリ・カード１３に記録される。
【００２４】
図２は，ニー処理回路のニー特性を示すグラフである。
【００２５】
ニー特性は，入力が所定の入力値Ｉｎまでは，線形特性を有し，入力値に対応した値が出力される。入力が所定の入力値Ｉｎを越えると，線形特性の場合に比べて値が小さくなるような特性を有している。
【００２６】
図３は，表示装置１０の表示画面２０に表示される画像の一例である。
【００２７】
撮影モードが設定されると，上述のように被写体が撮影され，被写体像が表示画面２０上に表示される。ユーザは，表示画面２０に表示された画像を見ながら，カメラ・アングルを決定する。
【００２８】
表示画面２０には，そのほぼ中央に主被写体領域２１が設定されている。主被写体領域２１は，被写体を撮影する場合に，通常は，主被写体２２が存在するであろう位置に規定されている。この実施例においては，撮影領域（表示画面２０に表示される領域と同じ）のうち，主被写体領域２１を除く領域２５を付随的領域といい，付随的領域２５内にある被写体２３を付随的被写体ということにする。主被写体領域２１内に主被写体２２が入るように，カメラ・アングルが決定される。
【００２９】
主被写体２２よりも付随的被写体２３は手前にある。このために，ストロボ発光装置８からストロボ光が被写体に照射されると，主被写体２２の輝度よりも付随的被写体２３の輝度の方が高くなることがある。主被写体２２を表す主被写体像が適正な明るさを持つ場合には，付随的被写体２３を表す付随的被写体像の輝度が高くなりすぎることがある。
【００３０】
この実施例においては，ストロボ発光撮影が行われた場合に，付随的領域２５の画像を表す画像データのレベルが所定のしきい値以上となるとニー処理が行われる。付随的領域２５の画像が明るくなりすぎることが未然に防止される。
【００３１】
図４から図６は，被写体像の水平方向の位置と被写体の輝度レベルとの関係を示している。
【００３２】
図４は，図３のＩＶ−ＩＶ線に沿う位置と輝度レベルとの関係を示している。
【００３３】
主被写体２２は，付随的被写体２３よりも遠い位置にあるから，ストロボ発光撮影した場合に得られる画像の輝度レベルは，図４に示すように，主被写体像の輝度レベルがＬ１１であるのに対して，付随的被写体像の輝度レベルＬ２１は，主被写体像の輝度レベルＬ１１よりも大きくなる。
【００３４】
主被写体２２までの距離が遠く，主被写体像の輝度レベルＬ１１が比較的小さい場合には，主被写体像が暗くなってしまう。このために，上述したように信号処理回路４において画像データのレベルが高くなるように，全体的にレベル調整される。
【００３５】
図５は，レベル調整された輝度レベルを示すもので，図４に対応している。
【００３６】
レベル調整されることにより，主被写体像の輝度レベルはＬ１１からＬ１２に，付随的被写体像の輝度レベルはＬ２１からＬ２２にそれぞれ高くなっている。
【００３７】
この実施例においては，輝度レベルにしきい値が設定されている。このしきい値は，しきい値を越える輝度レベルをもつ画像データによって表される画像は明るすぎていわゆる白飛びなどを発生する可能性があることを示している。
【００３８】
この実施例においては，付随的画像を表す画像データのレベルがしきい値を越えると，ニー処理が行われる。
【００３９】
図６は，ニー処理が行われた輝度レベルを示すものである。
【００４０】
ニー処理が行われることにより，主被写体像の輝度レベルはＬ１３となり，付随的被写体像の輝度レベルはＬ２３となる。付随的被写体像の輝度レベルはほぼしきい値のレベルとなる。このために，主被写体像も付随的被写体像も比較的適正な明るさをもつようになる。
【００４１】
主被写体像か付随的被写体像かの判断は，上述したように，主被写体領域２１内にある画像を主被写体像と考え，付随的領域２５内にある画像を付随的被写体像と考えても良いし，主被写体領域２１からはみ出していても主被写体領域２１に含まれている画像と一体の画像部分を主被写体像と考えてもよい。いずれにしても主被写体像を除く付随的画像を表す画像データのレベルがしきい値を越えるとしきい値以下となるようにニー処理が行われる。
【００４２】
図７は，ディジタル・スチル・カメラの処理手順の一部を示すフローチャートである。
【００４３】
モード設定スイッチによりストロボ撮影モードが設定され，主被写体までの距離が遠いため，ゲイン・アップ指令スイッチによりゲイン・アップ指令が与えられているものとする。
【００４４】
シャッタ・レリーズ・ボタンが押されると，ストロボ発光装置８によってストロボ光が発光して被写体にストロボ光が照射される。ストロボ光が照射された被写体が撮像される（ステップ３１）。撮像によって得られた画像データが信号処理回路４に入力し，画像データのレベルが全体的に上げられる（ステップ３２）。すなわち，主被写体像の画像データおよび付随的画像データに係わらず，すべて一律にレベルが上げられる。
【００４５】
レベルが上げられた画像データのうち，付随的画像データがしきい値以上かどうかが判定される（ステップ３３）。しきい値以上であれば（ステップ３３でＹＥＳ），上述したように，付随的画像データがしきい値以下となるようにニー処理が行われる（ステップ３４）。
【００４６】
主被写体よりも近くに付随的被写体があった場合に，ストロボ撮影が行われ，付随的被写体像が明るくなりすぎるのを未然に防止でき，比較的適正な明るさを持つ画像が得られる。
【図面の簡単な説明】
【図１】ディジタル・スチル・カメラの電気的構成を示すブロック図である。
【図２】ニー特性を示している。
【図３】被写体像の一例を示している。
【図４】撮影によって得られた画像データの輝度レベルを示している。
【図５】一律にレベルが上げられた画像データの輝度レベルを示している。
【図６】ニー処理が行われた画像データの輝度レベルを示している。
【図７】ディジタル・スチル・カメラの処理手順の一部を示すフローチャートである。
【符号の説明】
１  ＣＣＤ
４  信号処理回路
７  ＣＰＵ
８  ストロボ発光装置
２１  主被写体領域
２２  主被写体
２３  付随的被写体
２５  付随的被写体領域
【図１】
2004320179.tif 000003
【図２】
2004320179.tif 000004
【図３】
2004320179.tif 000005
【図４】
2004320179.tif 000006
【図５】
2004320179.tif 000007
【図６】
2004320179.tif 000008
【図７】
2004320179.tif 000009